(57)【要約】【課題】スタンド部自体に転倒防止の特別な構造が施されていない機種の表示装置の転倒を防止を可能とした薄型表示装置の転倒防止装置を提供する。【解決手段】四角形の底板５の対向する２辺上にガイド溝７ａ、７ｂを長手方向に底板５の面と平行に備えた一対のガイドレール６ａ、６ｂをガイド溝７ａ、７ｂを対向して固設した台１１と、先端面の中央に凹部９が切欠されガイドレール６ａ、６ｂのガイド溝７ａ、７ｂに挿脱可能であり表示装置１のスタンド部材３を底板５とで挟み込む左右２枚の転倒防止プレート８ａ８ｂとからなる装置本体４を薄型表示装置の架台上に滑り止め手段を介して載置するようにした。【選択図】図１
2009116044.tif 000002
【特許請求の範囲】
【請求項１】
下端に左右方向に延在したスタンド部材を有する支柱に支持した薄型表示装置の転倒を防止する装置であって、四角形の底板の対向する２辺上にガイド溝を長手方向に底板面と平行に備えた一対のガイドレールを前記ガイド溝を対向して固設した台と、先端面の中央に凹部が切欠され前記ガイドレールのガイド溝に挿脱可能であり前記スタンド部材を前記底板とで挟み込む左右２枚の転倒防止プレートとからなる装置本体を薄型表示装置の架台上に滑り止め手段を介して載置するようにしたことを特徴とする薄型表示装置の転倒防止装置。
【発明の詳細な説明】
【技術分野】
【０００１】
本発明は、パソコンやテレビ等の薄型表示装置の転倒防止装置に関するものである。
【背景技術】
【０００２】
近年のパソコンやテレビ等の表示装置（ディスプレイ装置）は液晶表示装置が用いられている。この液晶表示装置は従前のブラウン管表示装置に比較して極度に薄型のパネル状であり、軽量にして奥行きの設置スペースをとらない。
【０００３】
しかしながら、軽量にして奥行きの設置スペースをとらないことから、設置状態の安定性に難点を有しており、地震時や不用意に手などを強く触れた時の衝撃により転倒して破損する問題を有している。この問題を解消するために、例えば下記特許文献１〜３公開特許公報により転倒防止装置が提供されているが、これらの何れにおいてもスタンド部自体に転倒防止の特別な構造が施されており、スタンド部自体に転倒防止の特別な構造が施されていない機種の表示装置では振動や衝撃で転倒する不安定性を有し汎用性がない。
【特許文献１】特開２００６−２２７４０５公報
【特許文献２】特開２００７−８６６４７公報
【特許文献３】特開２００７−１４２５４９公報
【発明の開示】
【発明が解決しようとする課題】
【０００４】
本発明の目的は、スタンド部自体に転倒防止の特別な構造が施されていない機種の表示装置の転倒を防止を可能とした薄型表示装置の転倒防止装置を提供することである。
【課題を解決するための手段】
【０００５】
上記の目的を達成するための本発明は、請求項１に記載の通り、下端に左右方向に延在したスタンド部材を有する支柱に支持した薄型表示装置の転倒を防止する装置であって、四角形の底板の対向する２辺上にガイド溝を長手方向に底板面と平行に備えた一対のガイドレールを前記ガイド溝を対向して固設した台と、先端面の中央に凹部が切欠され前記ガイドレールのガイド溝に挿脱可能であり前記スタンド部材を前記底板とで挟み込む左右２枚の転倒防止プレートとからなる装置本体を薄型表示装置の架台上に滑り止め手段を介して載置するようにしたことを特徴とする。
【発明の効果】
【０００６】
本発明によると、装置本体の台の底板と、この台に固設されているガイドレールのガイド溝に差し込んだ左右２枚の転倒防止プレートとで挟み込まれたスタンド部材により振動や衝撃が薄型表示装置に付与されても薄型表示装置はスタンド部材の踏ん張りによって転倒を防止する。また、スタンド部自体に転倒防止の特別な構造が施されていない機種の表示装置の転倒を防止することができる汎用性を有している。
【発明を実施するための最良の形態】
【０００７】
以下本発明を実施するための最良の形態について図面に基づいて説明する。図１において１は本発明装置により転倒防止されるパソコンやテレビ等の薄型の表示装置（液晶ディスプレイ装置）であり、表示装置１を支持した支柱２の下端に左右方向に延在したスタンド部材３を有しており、スタンド部自体に転倒防止の特別な構造が施されていない機種の表示装置１である。４は本発明による薄型表示装置の転倒防止装置本体である。
【０００８】
本発明による薄型表示装置の転倒防止装置本体４の具体的な構造について図２を加えて詳述する。四角形の底板５の対向する２辺上にガイド溝７ａ、７ｂを長手方向に底板５の面と平行に備えた一対のガイドレール６ａ、６ｂを前記ガイド溝７ａ、７ｂを対向して固設した台１１と、先端面の中央に凹部９が切欠され前記ガイドレール６ａ、６ｂのガイド溝７ａ、７ｂに挿脱可能であり表示装置１のスタンド部材３を前記底板５とで挟み込む左右２枚の転倒防止プレート８ａ、８ｂとからなる構成である。尚、符号１０は転倒防止プレート８ａ、８ｂの後端面に取り付けられたスライドエンド部材を示す。
【０００９】
本発明は上記の通りの構造であるから、転倒防止プレート８ａ、８ｂをガイドレール６ａ、６ｂから抜き取った状態で表示装置１のスタンド部材３を台１１の底板５の中央位置に載置し、転倒防止プレート８ａ、８ｂをガイドレール６ａ、６ｂのガイド溝７ａ、７ｂに差し込む。これにより、支柱２は転倒防止プレート８ａ、８ｂの先端面に形成されている凹部９を貫通した状態で表示装置１のスタンド部材３を前記底板５と転倒防止プレート８ａ、８ｂとで挟み込み、振動や衝撃が薄型の表示装置１に付与されても表示装置１はスタンド部材３の踏ん張りによって転倒を防止する状態となる。
【００１０】
このように、転倒を防止する状態にセットした転倒防止装置本体４は表示装置１の架台上に滑り止め手段を介して載置する。その一例として図３で説明する。図３において１２はスチール製架台である。このスチール製架台１２の場合は、台１１の底板５の下面に図示省略しているマグネットを取り付けて転倒防止装置本体４をスチール製架台１２に磁力吸着する。これにより、転倒防止装置本体４はスチール製架台１２に滑り止めされた状態で載置され、転倒防止装置本体４にセットされた表示装置１は振動や衝撃が表示装置１に付与されても転倒することなく表示装置１の破損を防止する。
【００１１】
表示装置１の架台が転倒防止装置本体４を磁力吸着ができない木製等の場合の滑り止め手段としては、架台上にマット等の増摩擦シートを敷いて転倒防止装置本体４を載置することで転倒防止装置本体４の滑り止めの目的が達成される。
【００１２】
尚、転倒防止装置本体４の材質は金属、強化プラスチック、木材等が使用される。
【００１３】
このように本発明による薄型表示装置の転倒防止装置は、架台に転倒防止装置本体４が滑り止めされて安定した状態で載置され、振動や衝撃が表示装置１に付与されても表示装置１は底板５と転倒防止プレート８ａ、８ｂとで挟み込まれたスタンド部材３の踏ん張りによって転倒を防止する利点を有している。また、スタンド部自体に転倒防止の特別な構造が施されていない機種の表示装置の転倒を防止することができる汎用性を有している利点も有している。
【図面の簡単な説明】
【００１４】
【図１】本発明の斜視図
【図２】本発明による転倒防止装置本体の分解図
【図３】本発明による転倒防止装置本体を架台に設置する一例を示す斜視図
【符号の説明】
【００１５】
１    表示装置
２    支柱
３    スタンド部材
４    転倒防止装置本体
５    底板
６ａ  ガイドレール
６ｂ  ガイドレール
７ａ  ガイド溝
８ａ  転倒防止プレート
８ｂ  転倒防止プレート
９    凹部
１０   スライドエンド部材
１１   台
【図１】
2009116044.tif 000003
【図２】
2009116044.tif 000004
【図３】
2009116044.tif 000005